(57)【要約】【課題】  使用時における噴出問題、あるいは意図しない破断問題がないような注出機構を創出することを技術的課題とし、もって安心して便利に使用できるポーションカップを提供することを目的とする。【解決手段】  ポーションカップにおいて、２ケの可撓性の小型カップ状収納室を上端で連結部を介して左右並列状に一体連結し、上端周縁にフランジを付設し、前記連結部を両収納室の底部が相衝突する方向へ折れ曲がり可能に構成したカップ本体を有し、周縁部をフランジに密着状に固着させ、中央部に両収納室に連通する注出口を形成した状態でカップ本体を被覆する第１シール蓋材を有し、注出口を密閉した状態で、剥離可能に第１シール蓋材を被覆する第２シール蓋材を有する構成とする。【選択図】図１
2006044681.tif 000002
【特許請求の範囲】
【請求項１】
２ケの可撓性の小型カップ状収納室(2)を上端で連結部(6)を介して左右並列状に一体連結し、上端周縁にフランジ(5)を付設し、前記連結部(6)を両収納室(2、2)の底部(3、3)が相衝突する方向へ折れ曲がり可能に構成したカップ本体(1)と、周縁部を前記フランジ(5)に密着状に固着させ、中央部に両収納室(2、2)に連通する注出口(12)を形成した状態で前記カップ本体(1)を被覆する第１シール蓋材(11)と、前記注出口(12)を密閉した状態で、剥離可能に第１シール蓋材(11)を被覆する第２シール蓋材(14)を有するポーションカップ。
【請求項２】
第１シール蓋材(11)と、第２シール蓋材(14)により両収納室(2、2)に密封状に分離して、各収納室(2)に異なる内容液(L)を収納する構成とした請求項１記載のポーションカップ。
【発明の詳細な説明】
【技術分野】
【０００１】
本発明は、指先で摘んで内容物を注出して使用するポーションカップに関するものである。
【背景技術】
【０００２】
近年、コーヒーゼリー等のデザート類、サラダなどを容器詰めした商品、弁当等の商品が普及しており、このような商品は消費者の様々な味覚を満足させるため、多くの場合ミルク、ガムシロップ、ドレッシング等の補助食品を充填したポーションカップを別体として備えて販売されている。
【０００３】
特許文献１にはこのようなポーションカップを備えた容器についての発明が記載されており、また特許文献２にはドレッシング用の複数の室に内容物を分納したポーションカップに係る発明についての記載がある。
【０００４】
図７および図８は、引用文献２に記載のある実施例であり、それぞれ引用文献２の図１および図２に相当する。このドレッシング向け容器（ポーションカップ）は図７に示すように、表面の中央部に破断域１０２を有する折り曲げ可能な硬質材の蓋１０１とその蓋１０１の裏面に固着した可撓性部材からなる容器体１０３とをもって、蓋１０１の破断域１０２に通ずる２個のポケット室Ａ，Ｂを形成した複室の容器としてある。
【０００５】
このような構造とした容器は、使用に際しては例えばサラダに振りかけようとする時、蓋１０１の両端を中央部の破断域１０２を中心として指でつまみ、ポケット室Ａ，Ｂを互いに引き寄せるようにＶ字状に折り曲げると、ポケット室Ａ，Ｂは互いに接触し圧接される。同時にポケット室Ａ，Ｂ内の収容物にも大きな負荷圧力がかけられることになる。この圧力は連通部である破断域１０２に集中し、破断域１０２が破壊し、ポケット室Ａ内の収容物１０８とポケット室Ｂ内の収容物１１０、１１１の混合物を外方に吐出することになり、サラダの上にポケット室Ａ，Ｂの両収容物が混ざり合ってドレッシング１０７の完成品としてふり注がれる。
【特許文献１】特開２００３−４０３４８号公報
【特許文献２】特開２００２−２０４６６７号公報
【発明の開示】
【発明が解決しようとする課題】
【０００６】
上記した、特許文献２に示されるドレッシング用のポーションカップは、室を押圧して注出を容易にでき、また２種の液を分納して注出の際に混合できる等の特長を有することにより便利に使用することができるが、使用の際に指先で摘んでポケット室Ａ，Ｂを互いに圧接し、ポケット室Ａ，Ｂ内の収容物にも大きな負荷圧力をかけ、この圧力により破断域を破壊して内容物を注出する構成であり、内容液が勢いよく思わぬ方向に噴出して手を汚したり、周辺に飛び散り衣服を汚す等の問題が発生する。またたとえば、このポーションカップをバックに入れたとき等に意図しない圧力がポケット室Ａ、Ｂに作用して、ミシン目等で形成された弱化部である破断域が破れてバック内を汚してしまうという問題もある。
【０００７】
そこで本発明はポーションカップに係る上記した使用時における噴出問題、あるいは意図しない破断問題がないような注出機構を創出することを技術的課題とし、もって安心して便利に使用できるポーションカップを提供することを目的とする。
【課題を解決するための手段】
【０００８】
上記技術的課題を解決する方法のうち、請求項１記載の発明の手段は、
ポーションカップにおいて、
２ケの可撓性の小型カップ状収納室を上端で連結部を介して左右並列状に一体連結し、上端周縁にフランジを付設し、前記連結部を両収納室の底部が相衝突する方向へ折れ曲がり可能に構成したカップ本体を有すること、
周縁部をフランジに密着状に固着させ、中央部に両収納室に連通する注出口を形成した状態でカップ本体を被覆する第１シール蓋材を有すること、
注出口を密閉した状態で、剥離可能に第１シール蓋材を被覆する第２シール蓋材を有すること、
にある。
【０００９】
請求項１記載の上記構成のポーションカップは、カップ本体の各収納室に同種あるいは異種の内容液を充填し、その後第１シール蓋材をフランジに密着状に固着した状態でカップ本体全体を被覆し、さらに第２シール蓋材で、注出口を密閉した状態でこの第１シール蓋材を被覆し、これら第１シール蓋材と第２シール蓋材により内容液をカップ本体を密封した状態で、使用に供される。
【００１０】
そして使用の際には、まず第２シール蓋材を剥離し、第１シール蓋材に形成されている注出口を開口し、指先でフランジの左右端部近傍を摘みながら注出先の容器上で注出口が下向きになるようにカップ本体をひっくり返し、連結部で第１シール蓋材と共に折り曲げるようにする。
【００１１】
カップ本体をＶ字状になるように連結部で折り曲げると、可撓性の両収納室が
相互に押圧され、内容液を効果的に注出口から注出することができる。ここで、この注出口は破断域を破壊して形成するものでなく、第１シール蓋材に予め適宜の形状、大きさで形成されたものであり、内容液を安定した状態で注出先に注出することができ、内容液が勢いよく思わぬ方向に噴出して手を汚したり、周辺に飛び散り衣服を汚す等の問題が解消されたものである。また、ミシン目等で形成された弱化部である破断域がない構成であるので、第２シール蓋材を剥離しない限り、意図しない圧力により内容液が外に流れ出すこともない。
【００１２】
なお、連結部での折り曲げを安定して容易に達成するために、連結部に沿ってカップ本体を横断する溝状等の折れ目線を形成しておくことが好ましい。また第１シール蓋材も連結部と共に折り曲げる必要があり、折り曲げが容易なフィルム状のものを使用することが好ましい。
【００１３】
また、第１シール蓋材、第２シール蓋材としては基材となるプラスチックフィルム、アルミラミネートフィルム等の下面に、例えばエチレン-酢酸ビニール共重合体等のホットメルトタイプの熱融着層を積層したものを使用することができる。ただし、第２シール蓋材は指先で容易に剥離できるように易剥離性を有した融着層を使用する。
【００１４】
請求項２記載の発明の手段は、請求項１記載の発明において、第１シール蓋材と、第２シール蓋材により両収納室を密封状に分離して、各収納室に異なる内容液を収納する構成とすること、にある。
【００１５】
請求項２記載の上記構成により、収納室が第１シール蓋材と、第２シール蓋材により密封状に分離して形成されるので、予め混合した状態で放置しておくと成分が変質したりする、2種の液を両収納室に非接触状態で収納することができると共に、両収納室(2)に連通する注出口から同時に混合しながら注出することができる。
【発明の効果】
【００１６】
本発明は上記した構成であり、以下に示す効果を奏する。
請求項１記載の発明にあっては、注出口は破断域を破壊して形成するものでなく、第１シール蓋材に予め適宜の形状および大きさで形成されたものであり、内容液を安定した状態で注出先に注出することができ、内容液が勢いよく思わぬ方向に噴出して手を汚したり、周辺に飛び散り衣服を汚す等の問題を解消することができる。また、第２シール蓋材を剥離しない限り、意図しない圧力により内容液が外に流れ出すこともないので安心して携帯することもできる。
【００１７】
請求項２記載の発明にあっては、予め混合した状態で放置しておくと成分が変質したりする、2種の液を両収納室に非接触状態で収納することができると共に、両収納室に連通する注出口から同時に混合しながら注出することができる。
【発明を実施するための最良の形態】
【００１８】
以下本発明の実施の形態を図面を参照しながら説明する。
図１〜図４は本発明のポーションカップの第１実施例を示すものであり、本実施例のポーションカップはカップ本体１と、このカップ本体１の開口部４を覆う第１シール蓋材１１と、さらにこの第１シール蓋材１１を被覆する第２シール蓋材から構成されている。
【００１９】
図１は第２シール蓋材を半分程度剥離した状態の斜視図であり、図２はカップ本体１単独の平面図である。そして図３は図２のＸ−Ｘ線に沿って示す縦断面図であり、図３（ａ）は内容液Ｌを入れた状態で第１シール蓋材１１と第２シール蓋材１４で被覆した状態を示し、図３（ｂ）は第２シール蓋材１４を剥離して取り除いた状態を示す。なお、図２中には第１シール蓋材１１の注出口１２の配置位置を2点鎖線で示した。
【００２０】
カップ本体１には、一般的にはポリエチレン系樹脂製、ポリプロピレン系樹脂製、ポリスチレン系樹脂製等の熱成形（真空成形）品を使用する。このカップ本体１は２ケの半球殻の小型カップ状の収納室２、２を連結部６を介して左右並列状に一体連結すると共に、上端周縁にフランジ５を周設したものである。またフランジ５および連結部６は比較的厚肉に形成して剛性を確保すると共に、収納室２は比較的薄肉に形成して可撓性を有するようにしている。
【００２１】
また、フランジ５に一対のノッチ５ａ、５ａを形成すると共に、連結部６に溝状の折り目線７を形成することにより、両収納室２、２の底部３、３が相衝突する方向へ（図４参照）Ｖ字状に容易に折れ曲がるようにしている。
【００２２】
第１シール蓋材１１および第２シール蓋材１４は共にフィルム状で、カップ本体１の外周縁に沿った形状であり、第１シール蓋材１１中央部に円形の注出口１２が開口形成されている。この第１シール蓋材１１および第２シール蓋材１４としては基材となるプラスチックフィルム、アルミラミネートフィルム等の下面に、例えばエチレン-酢酸ビニール共重合体等のホットメルトタイプの熱融着層を積層したものを使用することができる。ただし、第２シール蓋材１４には使用時に指先で容易に剥離できるように易剥離性を有した融着層を使用する。
【００２３】
本実施例のポーションカップは両収納室２、２に同種の内容液Ｌを収納するためのものであり、連結部６には断面がＵ字状の連結溝８が形成され、両収納室２、２が連通した状態であるが、カップ本体１の各収納室２、２に同種の内容液Ｌを充填し、その後第１シール蓋材１１をフランジ部５および連結部６に熱融着により密着状に固着した状態でカップ本体１全体を被覆し、さらに第２シール蓋材１４で注出口１２を密閉した状態で第１シール蓋材１１を被覆して提供される。
【００２４】
そして使用の際には、まず第２シール蓋材１４を剥離して取り除き、注出口１２を開口し、指先でフランジ５の左右端部近傍を摘みながら注出先の容器上で注出口１２が下向きになるようにカップ本体１をひっくり返し、連結部６で第１シール蓋材１１と共に折り曲げるようにする。
【００２５】
図４（ａ）、（ｂ）はこの時の状態を斜視図で示したものであり、図中の矢印の方向は、指先での押圧方向を示す。またこのようにしてカップ本体１をＶ字状になるようにすると、可撓性の両収納室２、２の底部３、３が相衝突し（図４（ａ）参照）、さらに相互に押圧されて変形した状態となり（図４（ｂ）参照）、内容液Ｌを注出口１２から注出することができる。この際両収納室２、２間に連通溝８が形成してあるので両収納室２、２の内容液Ｌは一体になって流出する。
【００２６】
ここで、注出口１２は破断域を破壊して形成するものでなく、第１シール蓋材１１に予め両収納室２、２に連通するように適宜の形状および大きさで形成されたものであり、本実施例のポーションカップは、内容液Ｌを安定した状態で注出先に効率的に注出することができると共に、内容液Ｌが勢いよく思わぬ方向に噴出して手を汚したり、周辺に飛び散り衣服を汚す等の問題を解消したものである。
【００２７】
図５および図６は本発明のポーションカップの第２実施例であり、それぞれ第１実施例の図２および図３に相当する図である。本実施例のポーションカップは、たとえば野菜用のドレッシングの水層部と油層部のような異種の内容液Ｌをそれぞれ密封状に分離して収納し、使用の際には同時注出するためのものであり、第１実施例のポーションカップに比較して特にカップ本体１の連結部６の構造に違いがある。
【００２８】
第１実施例同様に連結部６には連通溝８が形成されているが、異種の内容液Ｌ１、Ｌ２を密封状に分離して収納するため、この連通溝８の中央に堰９を設けている。そして第２シール蓋材１４が、注出口１２を密封すると共に、この注出口１２が形成された部分で連結部６に直接密着状に固着するような構成としている。ここで注出口１２を楕円状としたのは上記連結部６への第２シール蓋材１４の密着面積を大きくして、両収納液Ｌ１、Ｌ２の分離を確実なものとするためである。
【００２９】
なお、本発明は上記実施例に限定されるものではない。たとえば注出口の形状および大きさは内容液の安定した注出性等を考慮して適宜選択することのできる設計事項であり、また上記実施例では収納室を半球殻状としたが、使用目的、使い勝手により円筒状、矩形筒状等とすることもできる。
【産業上の利用可能性】
【００３０】
以上説明したように本発明のポーションカップは、内容液を安定した状態で効率的に注出することができると共に、内容液が勢いよく思わぬ方向に噴出して手を汚したり、周辺に飛び散り衣服を汚す等の問題を解消したものであり、安心して使うことができ、より幅広い用途展開が期待できる。
【図面の簡単な説明】
【００３１】
【図１】本発明のポーションカップの第１実施例の斜視図である。
【図２】図１のポーションカップのカップ本体を示す平面図である。
【図３】図２中のＸ−Ｘ線に沿って示すポーションカップの縦断面図である。
【図４】図１のポーションカップの使用状態を斜視して示す説明図である。
【図５】本発明のポーションカップの第２実施例のカップ本体を示す平面図である。
【図６】図５中のＹ−Ｙ線に沿って示すポーションカップの縦断面図である。
【図７】ポーションカップの従来例を示す斜視図である。
【図８】図７のポーションカップの使用状態を示す説明図である。
【符号の説明】
【００３２】
１  ；カップ本体
２  ；収納室
３  ；底部
４  ；開口部
５  ；フランジ
５ａ；ノッチ
６  ；連結部
７  ；折り目線
８  ；連通溝
９  ；堰
１１；第１シール蓋材
１２；注出口
１４；第２シール蓋材
Ｌ、Ｌ１、Ｌ２  ；内容液
１０１；蓋
１０２；破断域
１０３；容器体
１０７；ドレッシング
１０８；収容物
１１０；収容物
１１１；収容物
Ａ，Ｂ；物品収容室（ポケット室）
【図１】
2006044681.tif 000003
【図２】
2006044681.tif 000004
【図３】
2006044681.tif 000005
【図４】
2006044681.tif 000006
【図５】
2006044681.tif 000007
【図６】
2006044681.tif 000008
【図７】
2006044681.tif 000009
【図８】
2006044681.tif 000010